(57)【要約】【課題】  音圧の低下を伴わずに高域の周波数特性を改善でき、高音圧で広帯域のカナル型ヘッドホンを提供すること。【解決手段】  カナル型ヘッドホンは、筐体１３とスピーカユニット１４とを備える。上記筐体１３は、前方の開口部１３ａから放音する有底の管状部１３ｂを有する。上記スピーカユニット１４は、振動板１６の前面が管状部１３ｂ内または管状部１３ｂの内壁に沿って配置され、放音方向ＡＲ１が上記管状部１３ｂの中心軸ＡＸ１方向と異なっている。管状部１３ｂは、振動板１６前面から開口部１３ａまでの内径が実質的に一定の片側閉管、あるいは開口部１３ａに向かって広がる片側閉管である。ヘルムホルツ共鳴器の構造をなくすることで高域の周波数特性を改善でき、振動板１６を斜めに配置し、細長形状のスピーカユニット１４を採用することで振動板の面積を大きくして音圧も確保できる。【選択図】      図１
2012169952.tif 000002
【特許請求の範囲】
【請求項１】
前方の開口部（１３ａ、２４ａ）から放音する有底の管状部（１３ｂ、２４ｂ）を有する筐体（１３、２４）と、振動板（１６、２８）が前記管状部（１３ｂ、２４ｂ）内、または振動板（１６、２８）の前面が前記管状部（１３ｂ、２４ｂ）の内壁に沿って配置され、放音方向（ＡＲ１〜ＡＲ５）が前記管状部（１３ｂ、２４ｂ）の中心軸（ＡＸ１、ＡＸ２）方向と異なるスピーカユニット（１４、２５）とを具備し、
前記管状部（１３ｂ、２４ｂ）は、振動板（１６、２８）前面から前記開口部（１３ａ、２４ａ）までの内径が実質的に一定の片側閉管、あるいは前記開口部（１３ａ、２４ａ）に向かって広がる片側閉管であることを特徴とするカナル型ヘッドホン。
【請求項２】
前記筐体（１３）は、前記管状部（１３ｂ）の後方の底部近傍の側面から外方に突出し、前記管状部（１３ｂ）内に連通する空間が形成された収容部（１３ｃ）を有し、
前記スピーカユニット（１４）は、前記収容部（１３ｃ）内に収容され、振動板（１６）前面が前記管状部（１３ｂ）の内壁に沿って配置されて、前記管状部（１３ｂ）の中心軸（ＡＸ１）に対して実質的に直交する方向に放音する
ことを特徴とする請求項１記載のカナル型ヘッドホン。
【請求項３】
前記筐体（１３）は、前記管状部（１３ｂ）の後方の底部近傍の側面から外方に突出し、前記管状部（１３ｂ）内に連通する空間が形成された収容部（１３ｃ）を有し、
前記スピーカユニット（１４）は、一部が前記収容部（１３ｃ）内に収容され、振動板（１６）前面が前記管状部（１３ｂ）内に配置されて、前記管状部（１３ｂ）の中心軸（ＡＸ１）に対して斜め方向に放音する
ことを特徴とする請求項１記載のカナル型ヘッドホン。
【請求項４】
前記筐体（２４）は、前記管状部（２４ｂ）の後方の内壁に前記管状部（２４ｂ）内に連通する空間が形成された空洞部（２４ｃ）を有し、
前記スピーカユニット（２５）は、前記空洞部（２４ｃ）内に収容され、振動板（２８）前面が前記管状部（２４ｂ）の内壁に沿って配置されて、前記管状部（２４ｂ）の中心軸（ＡＸ２）に対して実質的に直交する方向に放音する
ことを特徴とする請求項１記載のカナル型ヘッドホン。
【請求項５】
前記筐体（２４）は、前記管状部（２４ｂ）の後方の内壁に前記管状部（２４ｂ）内に連通する空間が形成された空洞部（２４ｃ）を有し、
前記スピーカユニット（２５）は、一部が前記空洞部（２４ｃ）内に収容され、振動板（２８）前面が前記管状部（２４ｂ）内に配置されて、前記管状部（２４ｂ）の中心軸（ＡＸ２）に対して斜め方向に放音する
ことを特徴とする請求項１記載のカナル型ヘッドホン。
【請求項６】
前記スピーカユニット（２５）は、前記管状部（２４ｂ）内に収容され、前記管状部（２４ｂ）の中心軸（ＡＸ２）に対して斜め方向に放音する
ことを特徴とする請求項１記載のカナル型ヘッドホン。
【請求項７】
前記スピーカユニット（１４、２５）の形状は、トラック形状、矩形、長方形、または楕円形であり、長軸方向または長手方向が前記管状部（１３ｂ、２４ｂ）の中心軸（ＡＸ１、ＡＸ２）と一致する方向に配置される
ことを特徴とする請求項１記載のカナル型ヘッドホン。
【発明の詳細な説明】
【技術分野】
【０００１】
本発明は、インナーイヤー型のヘッドホンに係るもので、さらに詳しくは、外耳道内にイヤーピースを挿入して使用するカナル型ヘッドホンに関する。
【背景技術】
【０００２】
従来、カナル型ヘッドホンは、例えば図８に示すように構成されている（特許文献１参照）。このヘッドホンは、電気信号を音響信号に変換するスピーカユニット１と、このスピーカユニット１の前面に設けられたインナーハウジング２と、これらスピーカユニット１とインナーハウジング２を収納するフロントハウジング３−１およびリアハウジング３−２と、フロントハウジング３−１から突出して音を放出する放音筒３ａと、この放音筒３ａの開口部３ｂに取り付けられたプロテクタ４と、この放音筒３ａの前方外周部に被着されたイヤーピース５と、リアハウジング３−２のコード導出部３ｃから導出され外部機器からの電気信号をスピーカユニット１に供給するコード６とを備えている。そして、上記イヤーピース５を外耳道内に挿入すると共に、フロントハウジング３−１およびリアハウジング３−２を耳介の内側に保持させるように装着して使用する。
【０００３】
しかしながら、図８に示すような構成では、スピーカ前室７ａが容器、外耳道へのポート７ｂが筒として機能するヘルムホルツの共鳴器が形成される。このため、ヘルムホルツの共鳴による共振が発生して、高域の周波数特性が伸びにくいという問題がある。
【０００４】
このようなヘルムホルツの共鳴に起因する高域の周波数特性を改善するために、例えば図９に示すような管状の筐体を外耳道内に挿入する構造のヘッドホンが考えられる。すなわち、管状の有底筐体８の中空円筒内にスピーカユニット９を収容し、この筐体８の前方の開口部８ａにプロテクタ１０を取り付ける。そして、筐体８の前方外周部にイヤーピース１１を被着し、後方のコード導出部８ｂからコード１２を導出して外部機器からの電気信号をスピーカユニット９に供給する。
【０００５】
上記のような構成では、筐体８のスピーカユニット９の前面から開口部８ａまでの内径が等しいためヘルムホルツの共鳴器は形成されず、高域の周波数特性の改善が期待できる。しかし、耳の奥まで筐体８を入れるためにはそのサイズ（筐体８の外径）を小さくする必要がある。このため、筐体８に内蔵するスピーカユニット９のサイズ（直径）も小さくしなければならず、これに伴って振動板の面積も小さくなる。この結果、十分な音圧が得られない、という別の問題が発生する恐れがある。
【先行技術文献】
【特許文献】
【０００６】
【特許文献１】特開２０００−３４１７８４号公報
【発明の概要】
【発明が解決しようとする課題】
【０００７】
上述したように従来のカナル型ヘッドホンは、ヘルムホルツの共鳴が発生して高域の周波数特性が伸びにくいという課題があり、高域の周波数特性を改善しようとすると十分な音圧を得るのが難しくなる。
【０００８】
本発明は、上記のことに鑑み提案されたもので、その目的とするところは、音圧の低下を伴わずに高域の周波数特性を改善でき、高音圧で広帯域のカナル型ヘッドホンを提供することにある。
【課題を解決するための手段】
【０００９】
上記課題を解決するため、請求項１に係る本発明のカナル型ヘッドホンは、前方の開口部１３ａ、２４ａから放音する有底の管状部１３ｂ、２４ｂを有する筐体１３、２４と、振動板１６、２８が前記管状部１３ｂ、２４ｂ内、または振動板１６、２８の前面が前記管状部１３ｂ、２４ｂの内壁に沿って配置され、放音方向ＡＲ１〜ＡＲ５が前記管状部１３ｂ、２４ｂの中心軸ＡＸ１、ＡＸ２方向と異なるスピーカユニット１４、２５とを具備し、前記管状部１３ｂ、２４ｂは、振動板１６、２８前面から前記開口部１３ａ、２４ａまでの内径が実質的に一定の片側閉管、あるいは前記開口部１３ａ、２４ａに向かって広がる片側閉管であることを特徴とする。
【００１０】
また、請求項２に係る本発明は、請求項１のカナル型ヘッドホンにおいて、前記筐体１３は、前記管状部１３ｂの後方の底部近傍の側面から外方に突出し、前記管状部１３ｂ内に連通する空間が形成された収容部１３ｃを有し、前記スピーカユニット１４は、前記収容部１３ｃ内に収容され、振動板１６前面が前記管状部１３ｂの内壁に沿って配置されて、前記管状部１３ｂの中心軸ＡＸ１に対して実質的に直交する方向に放音することを特徴とする。
【００１１】
さらに、請求項３に係る本発明は、請求項１のカナル型ヘッドホンにおいて、前記筐体１３は、前記管状部１３ｂの後方の底部近傍の側面から外方に突出し、前記管状部１３ｂ内に連通する空間が形成された収容部１３ｃを有し、前記スピーカユニット１４は、一部が前記収容部１３ｃ内に収容され、振動板１６前面が前記管状部１３ｂ内に配置されて、前記管状部１３ｂの中心軸ＡＸ１に対して斜め方向に放音することを特徴とする。
【００１２】
さらにまた、請求項４に係る本発明は、請求項１のカナル型ヘッドホンにおいて、前記筐体２４は、前記管状部２４ｂの後方の内壁に前記管状部２４ｂ内に連通する空間が形成された空洞部２４ｃを有し、前記スピーカユニット２５は、前記空洞部２４ｃ内に収容され、振動板２８前面が前記管状部２４ｂの内壁に沿って配置されて、前記管状部２４ｂの中心軸ＡＸ２に対して実質的に直交する方向に放音することを特徴とする。
【００１３】
請求項５に係る本発明は、請求項１のカナル型ヘッドホンにおいて、前記筐体２４は、前記管状部２４ｂの後方の内壁に前記管状部２４ｂ内に連通する空間が形成された空洞部２４ｃを有し、前記スピーカユニット２５は、一部が前記空洞部２４ｃ内に収容され、振動板２８前面が前記管状部２４ｂ内に配置されて、前記管状部２４ｂの中心軸ＡＸ２に対して斜め方向に放音することを特徴とする。
【００１４】
また、請求項６に係る本発明は、請求項１のカナル型ヘッドホンにおいて、前記スピーカユニット２５は、前記管状部２４ｂ内に収容され、前記管状部２４ｂの中心軸ＡＸ２に対して斜め方向に放音することを特徴とする。
【００１５】
さらに、請求項７に係る本発明は、請求項１のカナル型ヘッドホンにおいて、前記スピーカユニット１４、２５の形状は、トラック形状、矩形、長方形、または楕円形であり、長軸方向または長手方向が前記管状部１３ｂ、２４ｂの中心軸ＡＸ１、ＡＸ２と一致する方向に配置されることを特徴とする。
【発明の効果】
【００１６】
請求項１記載の本発明では、筐体の管状部における振動板の前面から開口部までの内径が実質的に一定の片側閉管、あるいは開口部に向かって広がる片側閉管であるため、高周波数帯域の音圧低下の一因となっていたヘルムホルツ共鳴器の構造をなくすことができ、高域の周波数特性を改善できる。
【００１７】
また、請求項２記載のように、筐体の管状部の後方の底部近傍の側面から外方に突出した収容部を設け、この収容部内にスピーカユニットを収容し、管状部の中心軸に対して実質的に直交する方向に放音することで、振動板の面積を大きくして十分な音圧を確保できる。
【００１８】
さらにまた、請求項３記載のように、筐体の管状部の後方の底部近傍の側面から外方に突出した収容部を設け、この収容部内にスピーカユニットの一部を収容し、管状部の中心軸に対して斜め方向に放音することで、振動板の面積を大きくして十分な音圧を確保できる。
【００１９】
請求項４記載のように、筐体の管状部の内壁に空洞部を形成し、この空洞部にスピーカユニットを収容することで、振動板の面積を大きくして十分な音圧を確保できる。しかも、筐体サイズを小型化できることで装着性を向上させて外耳道のより深くまで挿入でき、鼓膜との距離が短くなることによってさらなる高域特性の改善と高音圧化が図れる。
【００２０】
また、請求項５記載のように、筐体の管状部の内壁に空洞部を形成し、この空洞部にスピーカユニットの一部を収容することで、振動板の面積を大きくして十分な音圧を確保できる。しかも、筐体サイズを小型化できることで装着性を向上させて外耳道のより深くまで挿入でき、鼓膜との距離が短くなることによってさらなる高域特性の改善と高音圧化が図れる。
【００２１】
さらに、請求項６記載のように、スピーカユニットを、管状部内に中心軸に対して斜め方向に放音するように配置して収容することで、放音方向が中心軸と同じ方向に配置する場合に比べて大きなサイズのスピーカユニットを用いることができ、音圧を向上できる。
【００２２】
さらにまた、請求項７記載のように、スピーカユニットを、トラック形状、矩形、長方形、または楕円形にし、長軸方向または長手方向が管状部の中心軸と一致する方向に配置することで、より大きなサイズのスピーカユニットを用いることができ、さらに音圧を向上できる。
【図面の簡単な説明】
【００２３】
【図１】本発明の第１実施例に係るカナル型ヘッドホンを示す断面図である。
【図２】本発明の第２実施例に係るカナル型ヘッドホンを示すもので、スピーカユニットの側面側の断面図である。
【図３】本発明の第２実施例に係るカナル型ヘッドホンを示すもので、スピーカユニットの上面側の断面図である。
【図４】本発明の第１実施例に係るカナル型ヘッドホンの変形例を示す断面図である。
【図５】本発明の第２実施例に係るカナル型ヘッドホンの変形例を示すもので、スピーカユニットの側面側の断面図である。
【図６】本発明のカナル型ヘッドホンの他の変形例を示すもので、スピーカユニットの側面側の断面図である。
【図７】本発明のカナル型ヘッドホンのさらに他の変形例を示すもので、スピーカユニットの側面側の断面図である。
【図８】従来のカナル型ヘッドホンを示す断面図である。
【図９】高域の周波数特性を改善したカナル型ヘッドホンを示す断面図である。
【実施例１】
【００２４】
以下、本発明の実施例を図面に基づいて説明する。
【００２５】
図１は、本発明の第１実施例に係るカナル型ヘッドホンを示す断面図である。筐体１３は、例えば樹脂で形成され、内径が実質的に一定で前方の開口部１３ａから放音する有底の管状部１３ｂと、この管状部１３ｂの後方の底部近傍の側面から外方に突出し、上記管状部１３ｂ内に連通する空間が形成された収容部１３ｃとを有する。この筐体１３の収容部１３ｃ内に、電気信号を音響信号に変換する円形のスピーカユニット１４が収納されている。また、この収容部１３ｃには、コード１５を導出するためのコード導出部１３ｄが形成されており、外部機器からの電気信号（例えば音声や音楽等の音響信号に対応する）をスピーカユニット１４に供給するようになっている。
【００２６】
上記スピーカユニット１４は、矢印で示すように放音方向ＡＲ１が筐体１３の管状部１３ｂの中心軸ＡＸ１と実質的に直交する方向で、かつ振動板１６の前面が上記筐体１３の管状部１３ｂの内面近傍になるように配置され、収容部１３ｃの内面に接着剤３６等で固着されている。
【００２７】
上記スピーカユニット１４は、本例ではダイナミック型であり、鋼鉄等からなる円形のトレー状のヨーク１７、このヨーク１７内の底部に収容された磁石１８、磁石１８上に配置された鋼鉄製のポールピース１９、このポールピース１９の周囲に配置されたボイスコイル２０、および例えば樹脂で形成された上記振動板１６等を備えている。
【００２８】
上記ヨーク１７と、このヨーク１７内の底部に収容された磁石１８とによって磁気回路が形成される。上記ボイスコイル２０は前端部が振動板１５に接合されたボビン（図示せず）に巻設されて、ポールピース１９の外周部とヨーク１７の内側壁との間の隙間（ギャップ）２１に挿入され、コード１５から供給される音響信号に対応する交流電流が流れると上下運動をする。そして、上記振動板１６が上記ボイスコイル２０により駆動されて振動することで音を発生する。
【００２９】
また、上記筐体１３の管状部１３ｂの前方外周部にはイヤーピース２２が被着されている。イヤーピース２２の管状部１３ｂへの取り付けは、管状部１３ｂの外周に設けた溝部１３ｅと、イヤーピース２２の対応する位置の内周に設けた突起部２２ａとが着脱自在に嵌め込まれることで行われる。このイヤーピース２２は軟質部材からなり、管状部１３ｂの前方外周部に対し嵌合されるほぼ円筒状をなす筒部２２ｂと、筒部前端においてハウジング本体側に向かって湾曲して延びるイヤーピース外面部２２ｃとからなり、このイヤーピース外面部２２ｃと筒部２２ｂとの間には中空部が形成され、外耳道に挿入した際、外耳道の大きさ、形状等に対応してイヤーピース外面部２２ｃが容易に変形自在となっている。これによって、筐体１３の管状部１３ｂを外耳道内に挿入する際の装着性と保持性を高めている。
【００３０】
上記管状部１３ｂの開口部１３ａにはプロテクタ２３が取り付けられており、筐体１３内部への塵や埃、水分の侵入等を抑制している。このプロテクタ２３は、例えば中央と周辺に放音用の開孔を有する皿状の金属や樹脂、金属メッシュ等の硬質材料で形成され、管状部１３ｂの前面に外側に向かって突出するように接着剤や両面テープ等で接着されている。
【００３１】
上記のような構成によれば、スピーカユニット１４における振動板１６の前面が内径の等しいポートとなり、スピーカ前室は形成されないので、ヘルムホルツの共鳴器は形成されない。従って、高周波数帯域の音圧低下の一因となっていたヘルムホルツの共鳴をなくすことができるため、高域の周波数特性を改善できる。また、スピーカユニット１４を放音方向ＡＲ１が筐体１３の管状部１３ｂの中心軸ＡＸ１と実質的に直交する方向で、かつ振動板１６の前面が上記筐体１３の管状部１３ｂの内面近傍に配置することで、放音方向と管状部の中心軸を一致した方向に配置する図８に示した構成に比べて大きなサイズのスピーカユニット１４を用いることができるので、振動板１６の面積を大きくして十分な音圧も確保できる。
【００３２】
なお、上記第１実施例では、スピーカユニット１４が円形の場合を例に取って説明したが、トラック形状のスピーカユニットの長軸方向を筐体１３の管状部１３ｂの中心軸ＡＸ１方向に配置して設ければ、より大きなサイズのスピーカユニット１４を用いることができ、さらに音圧を向上できる。また、トラック形状に限らず、矩形、長方形、楕円形等の他の細長形状のスピーカユニットを用い、長軸方向または長手方向を上記管状部１３ｂの中心軸ＡＸ１と一致する方向に配置しても良いのはもちろんである。
【実施例２】
【００３３】
図２および図３はそれぞれ、本発明の第２実施例に係るカナル型ヘッドホンを示すもので、図２はスピーカユニットの側面側の断面図、図３はスピーカユニットの上面側の断面図である。本第２実施例は、管状の筐体を外耳道内に挿入するヘッドホンであって、細長形状のスピーカユニットを筐体の外壁と内壁との間に内蔵することで、管状の筐体内でも振動面積を確保し、高音圧を実現するものである。以降の説明では、細長形状の一例としてトラック形状で説明するが、第１実施例と同様に矩形、長方形、楕円形等のスピーカユニットを用いることもできる。
【００３４】
すなわち、筐体２４は、例えば樹脂で形成され、外径および内径が実質的に一定で前方の開口部２４ａから放音する有底の管状部２４ｂと、この管状部２４ｂの後方の内壁に上記管状部２４ｂ内に連通する空間が形成された空洞部２４ｃとを有する。この筐体２４の空洞部２４ｃ内には、電気信号を音響信号に変換するスピーカユニット２５が収納されている。また、上記管状部２４ｂの後方の底部中央には、コード導出部２４ｄが形成されており、このコード導出部２４ｄから上記空洞部２４ｃにコード２６を連通するためのガイド孔２７が形成されている。そして、コード２６をコード導出部２４ｄからガイド孔２７を介して上記空洞部２４ｃ内のスピーカユニット２５に接続し、外部機器からの電気信号（例えば音声や音楽等の音響信号に対応する）をスピーカユニット２５に供給するようになっている。
【００３５】
上記スピーカユニット２５は、上記第１実施例と同様に、矢印で示すように放音方向ＡＲ２が筐体２４の管状部２４ｂの中心軸ＡＸ２と実質的に直交する方向で、かつトラック形状の振動板２８の前面が上記筐体２４の管状部２４ｂの内面近傍になるように配置され、空洞部２４ｃの内面に接着剤３７等で固着されている。この際、図３に示すように、スピーカユニット２５（振動板２８）の長軸方向は、筐体２４の中心軸ＡＸ２と同一方向に配置される。
【００３６】
上記スピーカユニット２５は、本例ではダイナミック型であり、鋼鉄等からなるトラック形状でトレー状のヨーク２９、このヨーク２９内の底部に収容された磁石３０、磁石３０上に配置された鋼鉄製のポールピース３１、このポールピース３１の周囲に配置されたボイスコイル３２、および例えば樹脂で形成された上記トラック形状の振動板２８等を備えている。
【００３７】
上記ヨーク２９と、このヨーク２９内の底部に収容された磁石３０によって磁気回路が形成される。上記ボイスコイル３２は前端部が振動板２８に接合されたボビン（図示せず）に巻設されて、ポールピース３１の外周部とヨーク２９の内側壁との間の隙間（ギャップ）３３に挿入され、コード２６から供給される音響信号に対応する交流電流が流れると上下運動をする。そして、上記振動板２８が上記ボイスコイル３２により駆動されて振動することで音を発生する。
【００３８】
また、上記筐体２４の前方外周部にはイヤーピース３４が被着されている。イヤーピース３４の取り付けは、筐体２４の外周に設けた溝部２４ｅと、イヤーピース３４の対応する位置の内周に設けた突起部３４ａとが着脱自在に嵌め込まれることで行われる。このイヤーピース３４は軟質部材からなり、筐体２４の前方外周部に対し嵌合されるほぼ円筒状をなす筒部３４ｂと、筒部前端において筐体２４側に向かって湾曲して延びるイヤーピース外面部３４ｃとからなり、このイヤーピース外面部３４ｃと筒部３４ｂとの間には中空部が形成され、外耳道に挿入した際、外耳道の大きさ、形状等に対応してイヤーピース外面部３４ｃが容易に変形自在となっている。これによって、筐体２４を外耳道内に挿入する際の装着性と保持性を高めている。
【００３９】
上記筐体２４の開口部２４ａにはプロテクタ３５が取り付けられており、筐体２４内部への塵や埃、水分の侵入等を抑制している。上記プロテクタ３５は、例えば中央と周辺に放音用の開孔を有する皿状の金属や樹脂、金属メッシュ等の硬質材料で形成され、筐体２４の前面に外側に向かって突出するように接着剤や両面テープ等で接着されている。
【００４０】
上記のような構成によれば、筐体２４の外壁と内壁との間にトラック形状のスピーカユニット２５を収容する空洞部２４ｃを設け、この空洞部２４ｃに長軸方向が当該筐体２４の中心軸ＡＸ２と同一方向に配置されたトラック形状のスピーカユニット２５を設けることで、大きなサイズのスピーカユニットを用いることができ、管状の筐体２４内でも振動面積を確保して高音圧を実現できる。しかも、管状の筐体２４は耳の奥まで挿入するのに好適な形状であり、鼓膜との距離が短くなることによって共振周波数を上げることができる。これにより、高周波数の特性を伸ばすことができる。さらに、スピーカユニット２５を管状の筐体２４内に内蔵できるので、筐体サイズを小型化できることで装着性を向上させて外耳道のより深くまで挿入でき、鼓膜との距離が短くなることによってさらなる高域特性の改善と高音圧化が図れる。
【００４１】
［変形例１］
図４は、本発明の第１実施例に係るカナル型ヘッドホンの変形例を示す断面図である。本変形例１の基本的な構成は第１実施例と同様であるので、同じ部分に同一の符号を付してその詳細な説明は省略する。
【００４２】
本変形例１では、スピーカユニット１４の放音方向ＡＲ３を中心軸ＡＸ１に対して斜めに配置している。すなわち、スピーカユニット１４の一部を収容部１３ｃ内に、残りの部分を管状部１３ｂ内に収容し、振動板１６の前面を管状部１３ｂの内壁面に配置する。このような構成では、スピーカユニット１４から放音する際に、管状部１３ｂにおける振動板１６前面から開口部１３ａまでの内径が実質的に一定の片側閉管になるので、ヘルムホルツの共鳴器が形成されない。従って、第１実施例と実質的に同様な作用効果が得られる。
【００４３】
［変形例２］
図５は、本発明の第２実施例に係るカナル型ヘッドホンの変形例を示すもので、スピーカユニットの側面側の断面図である。本変形例２の基本的な構成は第２実施例と同様であるので、同じ部分に同一の符号を付してその詳細な説明は省略する。
【００４４】
本変形例２では、スピーカユニット２５の放音方向ＡＲ４を中心軸ＡＸ２に対して斜めに配置している。すなわち、スピーカユニット２５の一部を空洞部２４ｃ内に、残りの部分を管状部２４ｂ内に収容し、振動板１６の前面を管状部２４ｂの内壁面に配置する。このような構成でも、スピーカユニット２５から放音する際に、管状部２４ｂにおける振動板２８前面から開口部２４ａまでの内径が実質的に一定の片側閉管になるので、ヘルムホルツの共鳴器が形成されない。従って、第２実施例と実質的に同様な作用効果が得られる。
【００４５】
［変形例３］
図６は、本発明のカナル型ヘッドホンの他の変形例を示すもので、スピーカユニットの側面側の断面図である。本変形例３は外径と内径が一定の管状の筐体２４内にスピーカユニット２５を収容するものであり、他の基本的な構成は第２実施例と同様であるので、同じ部分に同一の符号を付してその詳細な説明は省略する。
【００４６】
本変形例３では、スピーカユニット２５の放音方向ＡＲ５を中心軸ＡＸ２に対して斜めにして管状部２４ｂ内に配置している。すなわち、空洞部２４ｃを形成せず、スピーカユニット２５を管状部２４ｂ内に収容し、振動板２８の前面を管状部２４ｂの内壁面に配置する。このような構成であっても、スピーカユニット２５から放音する際に、管状部２４ｂにおける振動板２８の前面から開口部２４ａまでの内径が実質的に一定の片側閉管になるので、ヘルムホルツの共鳴器が形成されない。従って、第２実施例と実質的に同様な作用効果が得られる。
【００４７】
［変形例４］
図７は、本発明のカナル型ヘッドホンのさらに他の変形例を示すもので、スピーカユニットの側面側の断面図である。本変形例４は管状の筐体２４内にスピーカユニット２５を収容する点は上記変形例３と同様であるが、スピーカユニット１４の放音方向と筐体２４の管状部２４ｂの構造が異なっている。他の基本的な構成は第２実施例および変形例２と同様であるので、同じ部分に同一の符号を付してその詳細な説明は省略する。
【００４８】
すなわち、本変形例４では、スピーカユニット２５の放音方向ＡＲ２を中心軸ＡＸ２に対して実質的に直交する方向に向けて管状部２４ｂ内に配置している。そして、この管状部２４ｂは、振動板２８前面から上記開口部２４ａまでの内径が、開口部２４ａに向かって広がる片側閉管にしている。
【００４９】
このような構成では、スピーカユニット２５から放音する際に、管状部２４ｂにおける振動板２８の前面から開口部２４ａまでの内径が、開口部２４ａに向かって広がる片側閉管になるので、ヘルムホルツの共鳴器が形成されない。しかも、振動板２８の前面から開口部２４ａに向かって広がっていることで、内径が一定の管形状よりも定在波が発生しにくく、スピーカの特性としては有利になる。
【００５０】
上述した第１および第２実施例とその変形例１乃至３では、管状部１３ｂまたは２４ｂの内径が実質的に一定の場合を例に取って説明したが、変形例４と同様に開口部１３ａまたは２４ａに向かって広がる形状にしても良い。また、第２実施例とその変形例２では、管状部２４ｂの外径が実質的に一定の場合を例に取って説明したが、必ずしも一定の外径に限られるものではない。
【００５１】
以上第１および第２実施例とその変形例１乃至４を用いて本発明の説明を行ったが、本発明は上記各実施例や変形例に限定されるものではなく、実施段階ではその要旨を逸脱しない範囲で種々に変形することが可能である。また、上記各実施例とその変形例には種々の段階の発明が含まれており、開示される複数の構成要件の適宜な組み合わせにより種々の発明が抽出され得る。例えば第１および第２実施例とその変形例１乃至４に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００５２】
１、９、１４、２５  スピーカユニット
２  インナーハウジング
３−１  フロントハウジング
３−２  リアハウジング
３ａ  放音筒
３ｂ、８ａ、１３ａ、２４ａ  開口部
３ｃ、８ｂ、１３ｄ、２４ｄ  コード導出部
４、１０、２３、３５  プロテクタ
５、１１、２２、３４  イヤーピース
６、１２、１５、２６  コード
７ａ  スピーカ前室
７ｂ  ポート
８、１３、２４  筐体
１３ｂ、２４ｂ  管状部
１３ｃ  収容部
１６、２８  振動板
１７、２９  ヨーク
１８、３０  磁石
１９、３１  ポールピース
２０、３２  ボイスコイル
２１、３３  隙間（ギャップ）
２２ａ、３４ａ  突起部
２２ｂ、３４ｂ  筒部
２２ｃ、３４ｃ  イヤーピース外面部
２４ｃ  空洞部
２４ｅ  溝部
２７  ガイド孔
３６、３７  接着剤
ＡＲ１、ＡＲ２、ＡＲ３、ＡＲ４、ＡＲ５  放音方向
ＡＸ１、ＡＸ２  中心軸
【図１】
2012169952.tif 000003
【図２】
2012169952.tif 000004
【図３】
2012169952.tif 000005
【図４】
2012169952.tif 000006
【図５】
2012169952.tif 000007
【図６】
2012169952.tif 000008
【図７】
2012169952.tif 000009
【図８】
2012169952.tif 000010
【図９】
2012169952.tif 000011